(57)【要約】【課題】携帯電話機等のユーザ端末からの着信があった際に、そのユーザ端末の周囲の状況を把握可能にする着信連動カメラシステムの提供。【解決手段】複数の拠点にそれぞれ設置されたカメラ２と、カメラ２が設置されている各拠点の場所に関する情報を記憶するカメラ設置情報記憶手段２３と、カメラ２のそれぞれにより撮影された画像を動画像として記憶する画像データ記憶手段２１と、ユーザ端末６からの着信を受け付ける着信受付手段２７と、着信を受け付けたユーザ端末６の位置情報を取得する位置情報取得手段２８と、位置情報取得手段２８により取得した位置情報に基づいて、カメラ設置情報記憶手段２３に記憶されたカメラ２が設定されている各拠点の場所に関する情報から近くのカメラを特定するカメラ特定手段２９と、カメラ特定手段２９により特定された近くのカメラの動画像を画像データ記憶手段２１から取得して提供する動画像提供手段２２とを有する。【選択図】図２
2019220853.tif 000002
【特許請求の範囲】
【請求項１】
複数の拠点にそれぞれ設置されたカメラと、
前記カメラが設置されている各拠点の場所に関する情報を記憶するカメラ設置情報記憶手段と、
前記カメラのそれぞれにより撮影された画像を動画像として記憶する画像データ記憶手段と、
ユーザ端末からの着信を受け付ける着信受付手段と、
前記着信受付手段により着信を受け付けたユーザ端末の位置情報を取得する位置情報取得手段と、
前記位置情報取得手段により取得した位置情報に基づいて、前記カメラ設置情報記憶手段に記憶された前記カメラが設置されている各拠点の場所に関する情報から近くのカメラを特定するカメラ特定手段と、
前記カメラ特定手段により特定された前記近くのカメラの動画像を前記画像データ記憶手段から取得して提供する動画像提供手段と
を有する着信連動カメラシステム。
【請求項２】
前記カメラが設置されている各拠点を地図上に表示した画像を提供するカメラ拠点位置提供手段を有する請求項１記載の着信連動カメラシステム。
【請求項３】
前記カメラ拠点位置提供手段は、前記カメラ特定手段により特定された前記近くのカメラの位置を前記地図上に表示するものである請求項２記載の着信連動カメラシステム。
【請求項４】
前記画像データ記憶手段は、さらに前記カメラによりそれぞれ撮影された画像をサムネイル画像として記憶するものであり、
さらに、
前記カメラ特定手段により特定された前記近くのカメラに対応するサムネイル画像を前記画像データ記憶手段から取得して一覧表示した画像を提供するサムネイル画像提供手段と、
前記サムネイル画像提供手段により前記サムネイル画像が一覧表示されたカメラのうち選択されたカメラに対応する動画像を前記画像データ記憶手段から取得して提供する動画像提供手段と
を有する請求項１から３のいずれか１項に記載の着信連動カメラシステム。
【請求項５】
前記画像データ記憶手段に記憶される動画像は、前記カメラのそれぞれにより撮影された静止画像から生成された動画像である請求項１から４のいずれか１項に記載の着信連動カメラシステム。
【発明の詳細な説明】
【技術分野】
【０００１】
本発明は、ユーザ端末からの着信に応じてユーザの近くのカメラの画像を表示することが可能な着信連動カメラシステムに関する。
【背景技術】
【０００２】
本出願人は、連続した複数フレーム画像を伝送して動画像を合成する際、ぶれや残像の発生を防止しつつ伝送量を抑えることを可能にした画像伝送装置を開発している（特許文献１参照。）。この画像伝送装置によれば、少ない伝送量で高品質な動画像を得ることができ、低コストで複数の拠点に多数のカメラを設置することが可能であり、防犯や監視等を目的としたカメラの普及がより一層進むものと思われる。
【０００３】
ところで、近年、ＧＰＳを搭載した携帯電話機の普及により、携帯電話機から警察、消防、海上保安等の緊急通報先への通報時に、その携帯電話機の所在位置を通報先に通知する緊急通報システムが開発されている（例えば、特許文献２参照。）。
【先行技術文献】
【特許文献】
【０００４】
【特許文献１】特許第６０４９０２４号公報
【特許文献２】特開２００７−１８０６８５号公報
【発明の概要】
【発明が解決しようとする課題】
【０００５】
しかしながら、上記緊急通報システムは、単に緊急通報がなされた携帯電話機の所在位置を通報するのみである。そのため、緊急通報を受け付けた警察等では、緊急通報がなされた位置はすぐに把握することができるものの、通報現場の状況は通報者との通話のやり取りのみから把握することしかできない。
【０００６】
そこで、本発明においては、携帯電話機等のユーザ端末からの着信があった際に、そのユーザ端末の周囲の状況を把握可能にする着信連動カメラシステムを提供することを目的とする。
【課題を解決するための手段】
【０００７】
本発明の着信連動カメラシステムは、複数の拠点にそれぞれ設置されたカメラと、カメラが設置されている各拠点の場所に関する情報を記憶するカメラ設置情報記憶手段と、カメラのそれぞれにより撮影された画像を動画像として記憶する画像データ記憶手段と、ユーザ端末からの着信を受け付ける着信受付手段と、着信受付手段により着信を受け付けたユーザ端末の位置情報を取得する位置情報取得手段と、位置情報取得手段により取得した位置情報に基づいて、カメラ設置情報記憶手段に記憶されたカメラが設置されている各拠点の場所に関する情報から近くのカメラを特定するカメラ特定手段と、カメラ特定手段により特定された近くのカメラの動画像を画像データ記憶手段から取得して提供する動画像提供手段とを有するものである。
【０００８】
本発明の着信連動カメラシステムによれば、ユーザ端末からの着信を受け付けた際に、ユーザ端末の位置情報を取得して、この取得した位置情報に基づいて、ユーザ端末の近くのカメラを特定し、この特定されたカメラの動画像が提供される。
【０００９】
本発明の着信連動カメラシステムは、カメラが設置されている各拠点を地図上に表示した画像を提供するカメラ拠点位置提供手段を有するものであることが望ましい。カメラが設置されている各拠点が地図上に表示された画像が提供されるとともに、前述のようにユーザ端末からの着信を受け付けた際に、ユーザ端末の近くのカメラの動画像が提供される。
【００１０】
また、カメラ拠点位置提供手段は、カメラ特定手段により特定された近くのカメラの位置を地図上に表示するものであることが望ましい。これにより、前述のようにユーザ端末からの着信を受け付けた際に、ユーザ端末の近くのカメラの動画像が提供されるとともに、そのカメラの位置が地図上に表示される。
【００１１】
また、本発明の着信連動カメラシステムは、画像データ記憶手段が、さらにカメラによりそれぞれ撮影された画像をサムネイル画像として記憶するものであり、さらに、カメラ特定手段により特定された近くのカメラに対応するサムネイル画像を画像データ記憶手段から取得して一覧表示した画像を提供するサムネイル画像提供手段と、サムネイル画像提供手段によりサムネイル画像が一覧表示されたカメラのうち選択されたカメラに対応する動画像を画像データ記憶手段から取得して提供する動画像提供手段とを有するものであることが望ましい。これにより、ユーザ端末からの着信を受け付けた際に、ユーザ端末の位置情報を取得して、この取得した位置情報に基づいて、ユーザ端末の近くのカメラを特定すると、この特定された近くのカメラに対応するサムネイル画像が一覧表示され、このサムネイル画像が一覧表示されたカメラからカメラを選択すると、その選択されたカメラに対応する動画像が提供される。
【発明の効果】
【００１２】
（１）複数の拠点にそれぞれ設置されたカメラと、カメラが設置されている各拠点の場所に関する情報を記憶するカメラ設置情報記憶手段と、カメラのそれぞれにより撮影された画像を動画像として記憶する画像データ記憶手段と、ユーザ端末からの着信を受け付ける着信受付手段と、着信受付手段により着信を受け付けたユーザ端末の位置情報を取得する位置情報取得手段と、位置情報取得手段により取得した位置情報に基づいて、カメラ設置情報記憶手段に記憶されたカメラが設置されている各拠点の場所に関する情報から近くのカメラを特定するカメラ特定手段と、カメラ特定手段により特定された近くのカメラの動画像を画像データ記憶手段から取得して提供する動画像提供手段とを有する構成により、ユーザ端末からの着信を受け付けた際に、そのユーザ端末の近くのカメラの動画像が提供され、このカメラの動画像からそのユーザ端末の周囲の状況を把握することが可能となる。
【００１３】
（２）カメラが設置されている各拠点を地図上に表示した画像を提供するカメラ拠点位置提供手段を有する構成により、カメラが設置されている各拠点が地図上に表示された画像とともに、ユーザ端末の近くのカメラの動画像が提供されるので、ユーザ端末からの着信を受け付け、そのユーザ端末の近くのカメラの動画像が提供された際に、その周囲のカメラが設置されている各拠点を地図上で確認することが可能となる。
【００１４】
（３）カメラ拠点位置提供手段が、カメラ特定手段により特定された近くのカメラの位置を地図上に表示するものであることにより、前述のようにユーザ端末からの着信を受け付けた際に、ユーザ端末の近くのカメラの動画像が提供されるとともに、そのカメラの位置を地図上で確認することが可能となる。
【００１５】
（４）画像データ記憶手段が、さらにカメラによりそれぞれ撮影された画像をサムネイル画像として記憶するものであり、さらに、カメラ特定手段により特定された近くのカメラに対応するサムネイル画像を画像データ記憶手段から取得して一覧表示した画像を提供するサムネイル画像提供手段と、サムネイル画像提供手段によりサムネイル画像が一覧表示されたカメラのうち選択されたカメラに対応する動画像を画像データ記憶手段から取得して提供する動画像提供手段とを有する構成により、ユーザ端末からの着信を受け付けた際に、ユーザ端末の位置情報から特定された近くのカメラに対応するサムネイル画像が一覧表示され、このサムネイル画像が一覧表示されたカメラからカメラを選択すると、その選択されたカメラに対応する動画像が提供されるので、着信を受け付けたユーザ端末の近くに設置されているカメラの中から容易にカメラを特定してその動画像を容易に確認することが可能となる。
【図面の簡単な説明】
【００１６】
【図１】本発明の実施の形態における着信連動カメラシステムの概略構成図である。
【図２】図１の着信連動カメラシステムのブロック図である。
【図３】カメラが設置されている各拠点を地図上に表示した画像の例を示す図である。
【図４】動画像表示画面の例を示す図である。
【発明を実施するための形態】
【００１７】
図１は本発明の実施の形態における着信連動カメラシステムの概略構成図、図２は図１の着信連動カメラシステムのブロック図である。
【００１８】
図１において、本発明の実施の形態における着信連動カメラシステム１は、複数の拠点にそれぞれ設置されるカメラ２と、各拠点に設置され、各拠点のカメラ２がそれぞれ接続される拠点サーバ３と、拠点サーバ３と電気通信回線Ｎにより接続されるクラウドサーバ４と、クラウドサーバ４に電気通信回線Ｎを介して接続するコンピュータ５とから構成される。コンピュータ５は、警察、消防、海上保安、保険会社等の緊急通報先（コールセンタ）に設置される。
【００１９】
カメラ２は、所定の時間間隔（例えば、１／１２０秒〜１秒間隔）で静止画像を撮像することにより、連続した複数フレームの画像を取得する撮像装置である。なお、各拠点に設置されるカメラ２は、一つであっても複数であっても良い。
【００２０】
図２に示すように、拠点サーバ３は、カメラ２により順次取得される連続した複数フレームの各フレームの画像を一時記憶する記憶手段１０と、所定のタイミングごとに基準となるフレーム（以下、「基準フレーム」と称す。）の画像のデータ（以下、「基準画像データ」と称す。）をクラウドサーバ４に伝送する基準画像伝送手段１１と、複数フレームの基準フレームの後の各フレームから抽出する領域（以下、「抽出領域」と称す。）を算出する抽出領域算出手段１２と、各フレームの画像から各フレームの抽出領域の画像データを順次抽出してクラウドサーバ４に伝送する抽出画像伝送手段１３とを有する。
【００２１】
基準画像伝送手段１１は、カメラ２により順次取得される連続した複数フレームの画像から所定のタイミングごとに基準となるフレーム（基準フレーム）の画像のデータ（基準画像データ）をクラウドサーバに伝送する。基準フレームは、予め設定された時間（例えば、３０秒間隔や１分間隔など）や、予め設定されたフレーム数等のタイミングごとに決定される。
【００２２】
抽出領域算出手段１２は、カメラ２により順次取得される連続した複数フレームの画像から背景とする画像（以下、「背景画像」と称す。）を得て、カメラ２により順次取得される連続した複数フレームの基準フレームの後の各フレームについて、順次、各フレームの画像と背景画像との間で差が発生している領域を取り囲む第１領域と、各フレームの直前のフレームの画像と背景画像との間で差が発生している領域を取り囲む第２領域との両方を取り囲む第３領域を算出する。第３領域が、抽出画像伝送手段１３により抽出して伝送する領域（抽出領域）である。
【００２３】
背景画像は、各フレームの直前の複数フレームの画像を平均化したものを用いる。例えば、あるフレームについて背景画像との差が発生している領域を算出する場合、抽出領域算出手段１２は、このフレームの直前の１００フレームの画像を平均化したものを背景画像とする。そして、この背景画像とこのフレームとの差分を取る。
【００２４】
抽出領域算出手段１２は、このような差分処理を基準フレームの後の各フレームについて行い、各フレームの画像と背景画像との間で差が発生している第１領域と、各フレームの直前のフレームの画像と背景画像との間で差が発生している第２領域との両方を取り囲む第３領域（抽出領域）を算出する。
【００２５】
抽出画像伝送手段１３は、各フレームの画像から抽出領域算出手段１２により算出された各フレームの第３領域の画像データを順次抽出してクラウドサーバに伝送する。また、抽出画像伝送手段１３は、この第３領域の画像データに加えて抽出領域（座標（Ｘ，Ｙ）、幅Ｗおよび高さＨ）をクラウドサーバ４に伝送する。
【００２６】
拠点サーバ３は、汎用サーバ、パーソナルコンピュータ、マイクロコンピュータ、ＰＤＡ（個人情報端末）、ポケットコンピュータ、スマートフォン、フィーチャーフォン（携帯電話機）や携帯型ゲーム機等の様々なコンピュータ上で、このコンピュータを上記各手段１１〜１３として機能させるためのプログラムを実行することにより実現される。
【００２７】
クラウドサーバ４は、拠点サーバ３から伝送された基準画像データおよび各フレームの第３領域の画像データから動画像を合成する画像合成手段２０と、画像合成手段２０により合成された動画像を記憶する画像データ記憶手段２１と、電気通信回線Ｎを介して接続するコンピュータ５（図１参照。）に対して画像データ記憶手段２１に記憶した動画像を提供する動画像提供手段２２とを有する。
【００２８】
画像合成手段２０は、拠点サーバ３から伝送された基準画像データおよび各フレームの第３領域の画像データから動画像を合成し、合成された動画像を画像データ記憶手段２１に記憶する。本実施形態においては、画像合成手段２０は、各フレームの抽出領域情報に基づいて基準画像データの一部を、順次、各フレームの第３領域の画像データに置き換えることにより動画像を合成する。
【００２９】
例えば、画像合成手段２０は、基準フレームの画像に対し、次のフレームの領域抽出情報に基づき、座標（Ｘ，Ｙ）から幅Ｗおよび高さＨの一部の画像データを、そのフレームの第３領域の画像データに置き換え、基準フレームの次のフレームの画像データとする。そして、画像合成手段２０は、さらに次のフレームについても、順次、直前のフレームの画像に対し、フレームの抽出領域情報に基づいてフレームの第３領域の画像データに置き換えていくことにより、動画像を合成する。
【００３０】
この合成された動画像は、カメラ２のそれぞれにより撮影された静止画像から生成された動画像として画像データ記憶手段２１に記憶される。また、画像データ記憶手段２１には、カメラ２によりそれぞれ撮影された画像のサムネイル画像も予め作成され、記憶される。
【００３１】
動画像提供手段２２は、電気通信回線Ｎを介して接続するコンピュータ５の要求に応じて画像データ記憶手段２１に記憶した動画像を提供する。動画像提供手段２２は、コンピュータ５から拠点ごとにカメラ２を指定して動画像が要求されると、要求された動画像を画像データ記憶手段２１から取得し、電気通信回線Ｎを介してコンピュータ５に提供する。
【００３２】
また、クラウドサーバ４は、カメラ２が設置されている各拠点の場所に関する情報を記憶するカメラ設置情報記憶手段２３と、カメラ２が設置されている各拠点を地域ごとに区分するための地域情報を記憶する地域情報記憶手段２４と、地図上にカメラ２が設置されている各拠点等を表示した画像を提供するカメラ拠点位置提供手段２５と、各カメラ２に対応するサムネイル画像を提供するサムネイル画像提供手段２６とを有する。
【００３３】
カメラ設置情報記憶手段２３に記憶される各拠点の場所に関する情報は、各拠点の名称、経緯度および住所等の各拠点の場所を特定可能な情報である。地域情報記憶手段２４に記憶される地域情報は、各拠点を地域ごとに区分するための名称（市区町村等）およびその範囲を示す情報（経緯度の集合等）である。
【００３４】
カメラ拠点位置提供手段２５は、カメラ設置情報記憶手段２３に記憶されたカメラ２が設置されている各拠点の場所に関する情報に基づいて、カメラ２が設置されている各拠点を地図上に表示した画像をコンピュータ５へ提供する。図３はカメラ２が設置されている各拠点を地図上に表示した画像の例を示している。図３に示すように、この画像６０には、カメラ２が設置されている各拠点の位置を示すアイコン５０とその各拠点の名称５１とが地図６１上に表示される。
【００３５】
また、カメラ拠点位置提供手段２５は、コンピュータ５からズームインの指示がなされ、所定の地域の区分まで細分化された場合に、その指示に基づいて地図６１のズームアウトまたはズームインを行うとともに、その地域に属する各拠点のアイコン５０および名称５１を地図６１上に表示した画像６０をコンピュータ５へ提供する。
【００３６】
サムネイル画像提供手段２６は、カメラ拠点位置提供手段２５により地図６１上にアイコン５０および名称５１が表示された各拠点のうち、アイコン５０または名称５１のクリック等により選択された拠点に設置されているカメラ２に対応するサムネイル画像を画像データ記憶手段２１から取得して一覧表示した画像をコンピュータ５へ提供する。
【００３７】
図３に示すように、サムネイル画像提供手段２６は、選択された拠点に設置されているカメラ２に対応するサムネイル画像６２を表示する。なお、サムネイル画像提供手段２６は、選択された拠点に複数のカメラ２が設置されている場合には、複数のカメラ２にそれぞれ対応するサムネイル画像を表示する。また、サムネイル画像提供手段２６は、図３に示すように、その選択された拠点の名称６３および住所６４も表示する。
【００３８】
また、クラウドサーバ４は、ユーザ端末６からの着信を受け付ける着信受付手段２７と、着信受付手段２７により着信を受け付けたユーザ端末６の位置情報を取得する位置情報取得手段２８と、位置情報取得手段２８により取得した位置情報に基づいて、カメラ設置情報記憶手段２３に記憶されたカメラが設置されている各拠点の場所に関する情報から近くのカメラを特定するカメラ特定手段２９とを有する。
【００３９】
ユーザ端末６は、ＧＰＳ（Ｇｌｏｂａｌ  Ｐｏｓｉｔｉｏｎｉｎｇ  Ｓｙｓｔｅｍ）、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）、ガリレオ（Ｇａｌｉｌｅｏ）、北斗／Ｃｏｍｐａｓｓ、ＱＺＳＳ（Ｑｕａｓｉ−Ｚｅｎｉｔｈ  Ｓａｔｅｌｌｉｔｅ  Ｓｙｓｔｅｍ）等の衛星測位システム（ＧＮＳＳ：Ｇｌｏｂａｌ  Ｎａｖｉｇａｔｉｏｎ  Ｓａｔｅｌｌｉｔｅ  Ｓｙｓｔｅｍ）が搭載または外部接続された携帯電話機やスマートフォン等の通信端末である。
【００４０】
着信受付手段２７は、ユーザ端末６からの着信があると、この着信を受け付ける。位置情報取得手段２８は、この着信受付手段２７により着信を受け付けたユーザ端末６から送信される衛星測位システムによる測位結果としての位置情報を取得する。カメラ特定手段２９は、この位置情報取得手段２８により取得した位置情報に基づいて、カメラ設置情報記憶手段２３に記憶されたカメラ２が設置されている各拠点の場所に関する情報からユーザ端末６の近くにあるカメラ２を特定する。
【００４１】
前述の動画像提供手段２２は、このカメラ特定手段２９によりユーザ端末６の近くにあるカメラ２が特定された場合には、この特定されたカメラ２の動画像を画像データ記憶手段２１から取得してコンピュータ５へ提供する機能を有する。図４は動画像表示画面の例を示している。図４に示すように、コンピュータ５には、ユーザ端末６の近くにあるカメラ２の動画像７０が提供され、表示される。
【００４２】
このとき、カメラ特定手段２９により特定されたカメラ２が複数存在する場合、サムネイル画像提供手段２６により、この特定された複数のカメラ２に対応するサムネイル画像を画像データ記憶手段２１から取得して一覧表示した画像を提供し、動画像提供手段２２が、このサムネイル画像提供手段２６によりサムネイル画像が一覧表示されたカメラのうち選択されたカメラに対応する動画像を画像データ記憶手段２１から取得して提供する構成とすることもできる。
【００４３】
また、前述のカメラ拠点位置提供手段２５は、カメラ特定手段２９によりユーザ端末６の近くにあるカメラ２が特定された場合には、この特定されたカメラ２の位置を地図上に表示する機能を有する。動画像提供手段２２は、この地図上に表示されたカメラ２がコンピュータ５により指定され、動画像が要求された場合には、このコンピュータ５の要求に応じて画像データ記憶手段２１に記憶された動画像を提供する。
【００４４】
なお、クラウドサーバ４に接続するコンピュータ５は、警察、消防、海上保安、保険会社等の緊急通報先（コールセンタ）以外に設置されたものであっても良い。コンピュータ５は、電気通信回線Ｎを介してクラウドサーバ４に接続可能なパーソナルコンピュータ、マイクロコンピュータ、ＰＤＡ（個人情報端末）、ポケットコンピュータ、スマートフォン、フィーチャーフォン（携帯電話機）や携帯型ゲーム機等であれば良い。
【００４５】
また、動画像提供手段２２は、サムネイル画像提供手段２６によりサムネイル画像６２が一覧表示されたカメラのうち選択されたカメラに対応する動画像を画像データ記憶手段２１から取得して提供する機能を有する。
【００４６】
図３に示すように表示されているサムネイル画像６２がクリック等により選択されると、動画像提供手段２２はその選択されたサムネイル画像６２により選択されたカメラに対応する動画像を画像データ記憶手段２１から取得してコンピュータ５へ提供する。なお、動画像提供手段２２は複数のサムネイル画像が表示されている場合には、その複数のサムネイル画像の中からクリック等により選択された一つのサムネイル画像に対応するカメラの動画像を提供する。
【００４７】
図４に示すように、この動画像表示画面にはサムネイル画像６２により選択されたカメラに対応する動画像７０が表示される。なお、動画像提供手段２２では、ライブ動画像だけでなく、日時を指定することにより、そのカメラに対応する過去の動画像を画像データ記憶手段２１から取得してコンピュータ５へ提供することもできる。
【００４８】
上記構成のクラウドサーバ４は、クラウド環境に構築されたサーバ上で、そのサーバを上記各手段として機能させるためのプログラムを実行することにより実現される。
【００４９】
上記構成の着信連動カメラシステム１では、ユーザ端末６から警察、消防、海上保安、保険会社等の緊急通報先への緊急通報に対して、クラウドサーバ４の着信受付手段２７が着信を受け付けると、位置情報取得手段２８によりこの着信を受け付けたユーザ端末６の位置情報が取得され、カメラ特定手段２９によりユーザ端末６の近くのカメラ２が特定され、この特定されたカメラ２の動画像７０が動画像提供手段２２により警察、消防、海上保安、保険会社等の緊急通報先のコンピュータ５へ提供される。これにより、警察、消防、海上保安、保険会社等では、緊急通報元であるユーザ端末６の近くのカメラ２の動画像７０からその周囲の状況を即時に把握することが可能であり、緊急通報に対して即座に有効な対応を取ることが可能となる。
【００５０】
このとき、コンピュータ５上には、この特定されたカメラ２の位置が地図６１上に表示されるので、動画像７０が提供されているカメラ２の位置を地図６１上で容易に確認することができる。また、カメラ拠点位置提供手段２５によってカメラ２が設置されている各拠点のアイコン５０および名称５１が地図６１上に表示された画像が提供されるので、動画像７０が提供されているユーザ端末６の近くのカメラ２のさらに周囲のカメラ２が設置されている各拠点を地図６１上で確認することが可能である。
【００５１】
また、この着信連動カメラシステム１では、図３に示すようにカメラ２が設置されている各拠点が地図６１上に表示された画像６０から拠点を選択することで、その選択された拠点に設置されているカメラ２に対応するサムネイル画像６２が一覧表示され、このサムネイル画像が一覧表示されたカメラ２を選択すると、その選択されたカメラ２に対応する動画像７０がコンピュータ５に提供されるので、複数の拠点にそれぞれ設置されているカメラ２の中から容易にカメラ２を特定してその動画像７０を確認することが可能である。
【００５２】
また、この着信連動カメラシステム１では、カメラ特定手段２９により特定されたユーザ端末６の近くのカメラ２が複数存在する場合には、サムネイル画像提供手段２６により、この特定された複数のカメラ２に対応するサムネイル画像が画像データ記憶手段２１から取得されて一覧表示された画像がコンピュータ５に提供される。そして、このサムネイル画像の一覧からカメラ２が選択されると、選択されたカメラ２に対応する動画像が画像データ記憶手段２１から取得され、コンピュータ５に提供される。あるいは、着信連動カメラシステム１は、カメラ特定手段２９により特定されたユーザ端末６の近くのカメラ２が複数存在する場合に、複数のカメラ２の動画像を複数同時に提供する構成とすることも可能である。
【００５３】
また、本実施形態における着信連動カメラシステム１では、画像データ記憶手段２１に過去の動画像が記憶されているので、ライブの動画像だけでなく、日時を指定することにより、そのカメラに対応する過去の動画像を画像データ記憶手段２１から取得してコンピュータ５へ提供することも可能となっており、緊急通報元であるユーザ端末６の周囲の過去の状況を確認することが可能である。
いる。
【００５４】
なお、コンピュータ５については、ユーザ認証により画像データ記憶手段２１およびカメラ設置情報記憶手段２３にアクセス可能な範囲を設定することが可能である。これにより、ユーザごとに、カメラ拠点位置提供手段２５、サムネイル画像提供手段２６および動画像提供手段２２により提供する情報を制限し、アクセス可能なもののみ提供する構成とすることが可能である。
【産業上の利用可能性】
【００５５】
本発明の着信連動カメラシステムは、事件、事故、火災、病気や怪我等の発生により警察、消防、海上保安、保険会社等の緊急通報先への通報時に、その通報元の周囲の状況をカメラにより把握することが可能なシステムとして有用である。
【符号の説明】
【００５６】
１  着信連動カメラシステム
２  カメラ
３  拠点サーバ
４  クラウドサーバ
５  コンピュータ
６  ユーザ端末
１０  記憶手段
１１  基準画像伝送手段
１２  抽出領域算出手段
１３  抽出画像伝送手段
２０  画像合成手段
２１  画像データ記憶手段
２２  動画像提供手段
２３  カメラ設置情報記憶手段
２４  地域情報記憶手段
２５  カメラ拠点位置提供手段
２６  サムネイル画像提供手段
２７  着信受付手段
２８  位置情報取得手段
２９  カメラ特定手段
【図１】
2019220853.tif 000003
【図２】
2019220853.tif 000004
【図３】
2019220853.tif 000005
【図４】
2019220853.tif 000006